(57)【要約】【課題】圧縮機上部のターミナル端子に結線されたリード線が前記ターミナル保護カバーと圧縮機との間に噛み込むことにより断線する可能性がある。【解決手段】圧縮機１の上に載上されたターミナル２を覆設したタ−ミナル保護カバー８のリード線取り出し口８ａに舌片を延出したホルダー部８ｂを設けることにより、ターミナル２に結線されたリード線５が下方にたるみターミナル保護カバー８と圧縮機１との間に噛み込むことにより断線するを防止できる。【選択図】図１
2009108843.tif 000002
【特許請求の範囲】
【請求項１】
圧縮機の上に載上されたターミナルを覆設し、前記ターミナルに結線したリード線の取り出し口に、前記リード線を上方に持ち上げ保持する機能を有する舌片を延出したホルダー部を備えた圧縮機のタ−ミナル保護カバー。
【請求項２】
ターミナルに結線されたリード線が横方向にたるむのを防止するために、ターミナルの端子間に仕切りの突起リブを具備した請求項１に記載の圧縮機のタ−ミナル保護カバー。
【発明の詳細な説明】
【技術分野】
【０００１】
本発明は圧縮機のターミナル保護カバーの形状に関するものである。
【背景技術】
【０００２】
従来、この種の圧縮機のタ−ミナル保護カバーは、圧縮機の上に載上されたターミナルを覆設し、側部に設けた、タ−ミナル保護カバー下縁まで達する開口部から、ターミナルに結線したリード線を取り出す構成となっていた（例えば、特許文献１参照）。
【０００３】
図３は、特許文献１に記載された従来の圧縮機の分解斜視図、図４は、圧縮機のタ−ミナル保護カバーの斜視図を示すものである。図３、図４に示すように、圧縮機１、タ−ミナル２、接続端子４、リード線５、タ−ミナル保護カバー８、リード線取り出し口８ａから構成されている。
【０００４】
このように空気調和機や冷蔵庫等の冷凍サイクルを構成する圧縮機１のシェル１Ａの外表面頂部には、内蔵されたモータを駆動させるために電源を供給するターミナル２が載上されている。そして、タ−ミナル２には接続端子４を介してリード線５が接続され、更に樹脂製のタ−ミナル保護カバー８を被せて、シェル１Ａに固着されている保護カバー固定ボルト１Ｃに被嵌させ、ナット９により固定されるものである。
【０００５】
リード線５は、タ−ミナル保護カバー８の下縁まで達する側部のリード線取り出し口８ａより出すよう構成されている。
【特許文献１】特開２００２−１８８５７０号公報
【発明の開示】
【発明が解決しようとする課題】
【０００６】
しかしながら、前記従来の構成のターミナル保護カバーでは、以下のような課題を有していた。即ち、組立作業者がタ−ミナルには接続端子を介してリード線が接続され、樹脂製のタ−ミナル保護カバーを被せてナットにより固定する時に、リード線が下方にたるみターミナル保護カバーと圧縮機シェルの間に噛み込むことにより断線する可能性があるという不安定な取付けになり易く、このため確認手直し作業など作業時間を増大させていた。
【０００７】
本発明は、前記従来の課題を解決するもので、ターミナル端子に結線したリード線がターミナル保護カバーの開口部より確実に引き出す状態を実現して、その作業を容易化、組立作業性の向上を図った圧縮機のターミナル保護カバーを提供することを目的とする。
【課題を解決するための手段】
【０００８】
前記従来の課題を解決するために、本発明の圧縮機のタ−ミナル保護カバーは、ターミナルとターミナルを埃や水等から保護するターミナル保護カバーを具備した圧縮機において、ターミナル保護カバーのリード線取り出し口部にターミナル結線リード線保持する機能を有する舌片を延出したホルダー部を具備したタ−ミナル保護カバーをターミナルに被せてリード線を保持する構成としたものである。
【０００９】
これによって、ターミナル部の組立作業時に、ターミナル端子に結線されたリード線が下方へのたるみ無しにリード線保持機能を有する舌片を延出したホルダー部に固定されてタ−ミナル保護カバーがナット固定されることになる。
【００１０】
また、本発明の圧縮機のタ−ミナル保護カバーは、ターミナルの端子間に仕切りの突起リブを設けることによりターミナルに結線された電線が横方向にたるむのを防止したものである。
【００１１】
これによって、ターミナル部の組立作業時に、ターミナル端子に結線されたリード線が横方向へたるむのをターミナルの端子間に設けた仕切りの突起リブによって防止することによってタ−ミナル端子に結線したリード線がタ−ミナル保護カバーに噛み込む不具合をより確実に解消することができる。
【発明の効果】
【００１２】
本発明の圧縮機のタ−ミナル保護カバーは、圧縮機ターミナルに結線されたリード線がタ−ミナル保護カバーに噛み込む不具合が解消され、固定作業の容易化、組立作業性の向上を図ることができる。
【発明を実施するための最良の形態】
【００１３】
第１の発明は圧縮機の上に載上されたターミナルを覆設し、ターミナルに結線したリード線の取り出し口に、リード線を上方に持ち上げ保持する機能を有する舌片を延出したホルダー部を備えたことにより、タ−ミナル端子に結線したリード線がタ−ミナル保護カバーに噛み込む不具合をより確実に解消することができる。
【００１４】
第２の発明は、特に、第１の発明である圧縮機のタ−ミナル保護カバーは、ターミナルの端子間に仕切りの突起リブを設けることにより、ターミナルに結線された電線が横方向にたるむのを防止したことにより、ターミナル部の組立作業時に、ターミナル端子に結線されたリード線が横方向へたるみをターミナルの端子間に設けた仕切りの壁によって防止することによってタ−ミナルリード線がタ−ミナル保護カバーに噛み込む不具合をより確実に解消することができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における圧縮機のタ−ミナル保護カバーの斜視図を示すものである。尚、従来と同機能を有する部品については、同符号を付するものとする。
【００１７】
図１において、圧縮機１のシェル１Ａの外表面頂部には、タ−ミナル２と保護カバー固定ボルト３が固着されている。そして、タ−ミナル２には接続端子４を介してリード線５が接続され、リード線取り出し口８ａにリード線保持機能を有する舌片を延出したホルダー部８ｂを具備した樹脂製のタ−ミナル保護カバー８を被せてナット９により固定されるものである。この構成により、複数の端子に結線されたリード線５はタ−ミナル保護カバー８のリード線取り出し口８ａより出すよう構成されている。
【００１８】
以上のように構成された圧縮機のタ−ミナル保護カバーについて、以下その動作、作用を説明する。
【００１９】
まず、ターミナル部の組立作業時に、ターミナル端子に結線されたリード線が下方へのたるみ無しにリード線保持機能を有する舌片を延出したホルダー部に固定されてタ−ミナル保護カバ−がナット固定されることになる。
【００２０】
（実施の形態２）
図２は、本発明の第２の実施形態の圧縮機のタ−ミナル保護カバーの図１のＡ―Ａ断面図を示すものである。
【００２１】
ターミナル２の端子間に仕切りの突起リブ８ｃを具備した圧縮機のタ−ミナル保護カバー８を被せてナット９により固定されるものである。この構成により、複数の端子に結線されたリード線５はタ−ミナル保護カバー８のリード線取り出し口８ａより出すよう構成されている。
【００２２】
以上のように構成された圧縮機のタ−ミナル保護カバーについて、以下その動作、作用を説明する。
【００２３】
まず、ターミナル部の組立作業時に、ターミナル端子に結線されたリード線がターミナルの端子間に仕切りの突起リブに当たり横方向にたるむのを防止することによってタ−ミナルリード線がタ−ミナル保護カバーに噛み込む不具合をより確実に解消することができる。
【産業上の利用可能性】
【００２４】
以上のように、本発明にかかる圧縮機のタ−ミナル保護カバーは、圧縮機ターミナルに結線されたリード線がタ−ミナル保護カバーに噛み込む不具合が解消され、固定作業の容易化、組立作業性の向上を図れるので、広く空気調和機や冷蔵庫等の冷凍サイクルを構成する圧縮機のタ−ミナル保護カバー等の用途にも適用できる。
【図面の簡単な説明】
【００２５】
【図１】本発明の実施の形態１における圧縮機のタ−ミナル保護カバーの斜視図
【図２】本発明の実施の形態１における図１のＡ―Ａ断面図
【図３】従来の圧縮機の分解斜視図
【図４】従来の圧縮機のタ−ミナル保護カバーの斜視図
【符号の説明】
【００２６】
１  圧縮機
１Ａ  シェル
２  ターミナル部
３  保護カバー固定ボルト
４  端子
５  リード線
８  ターミナル保護カバー
８ａ  リード線取り出し口
８ｂ  リード線保持機能を有する舌片を延出したホルダー部
８ｃ  突起リブ
９  ナット
【図１】
2009108843.tif 000003
【図２】
2009108843.tif 000004
【図３】
2009108843.tif 000005
【図４】
2009108843.tif 000006